(57)【特許請求の範囲】
【請求項１】
Ｌ１，Ｌ２の２つの電圧極及び１つの中性極からなる少なくとも３つの導電バーを複数の回路遮断器の並設方向に延出させるとともに、前記３つの導電バーのうちの少なくとも各回路遮断器に接続される回路遮断器接続部を上下方向三段として配設し、前記複数の回路遮断器を導電バーの配置位置の両側に配設した単相三線式分電盤において、
全ての回路遮断器は、前記上下方向三段の回路遮断器接続部のうちの中性極に差込接続される中性極用端子部を第１の高さ位置に設けるとともに、２つの電圧極の回路遮断器接続部のうちの一つに差込接続される電圧極用端子部を第２の高さ位置又は第３の高さ位置の何れか一方の高さ位置に設け、電圧極用端子部に接続されない電圧極の回路遮断器接続部を収納する収納部を第２の高さ位置又は第３の高さ位置の他方の高さ位置に設け、
前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設したことを特徴とする単相三線式分電盤。
【請求項２】
前記Ｌ１，Ｌ２の電圧極の回路遮断器接続部を、それぞれの電圧極の導電バーに一体形成され、一方側又は他方側に各々折曲された複数の脚片により構成したことを特徴とする請求項１記載の単相三線式分電盤。
【請求項３】
前記脚片の隣合う２つを互いに反対側に折曲したことを特徴とする請求項２記載の単相三線式分電盤。
【請求項４】
Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、
前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、
前記Ｌ１，Ｌ２の電圧極の回路遮断器接続を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続を、回路遮断器の並設方向に延出して第１及び第２の延出片に平行に配設される２本の導電バーにより構成したことを特徴とする単相三線式分電盤。
【請求項５】
Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、
前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、
前記Ｌ１，Ｌ２の電圧極の回路遮断器接続を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続を、回路遮断器の並設方向に延出し、第１及び第２の延出片に平行に配設される１本の導電バーにより構成したことを特徴とする単相三線式分電盤。
【請求項６】
Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、
前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、
前記Ｌ１，Ｌ２の電圧極の回路遮断器接続を、導電バーの配置位置を挟んで配設される一方の回路遮断器側で回路遮断器の並設方向に延出する第１の導電バーと、導電バーの配置位置を挟んで配設される他方の回路遮断器側で回路遮断器の並設方向に延出する第２の導電バーとにより各々個別に形成され、前記中性極の回路遮断器接続を、回路遮断器の並設方向に延出して第１及び第２の導電バーに平行に配設される２本の導電バーに個別に形成されたことを特徴とする単相三線式分電盤。
【請求項７】
前記Ｌ１，Ｌ２の２つの電圧極及び１つの中性極からなる複数の導電バーの回路遮断器接続部のうちの中性極の導電バーの回路遮断器接続部を最上段として配設したことを特徴とする請求項１乃至請求項６の何れか記載の単相三線式分電盤。
【発明の詳細な説明】
【０００１】
【発明の属する技術分野】
本発明は、導電バーの両側から回路遮断器を接続する単相三線式分電盤に関する。
【従来の技術】
この種の分電盤として、特開平１０−２４１５１４０号に見られる様な構成のものがある。この従来例ではＬ１，Ｌ２の電圧極に合わせた２種類の回路遮断器を製造したり、受刃の位置を移動させたりして、単相三線式のＬ１，Ｌ２の電圧極の負荷バランスを合わせることができる。
【０００２】
【発明が解決しようとする課題】
上記のような従来例では負荷バランスを合わせることができるものの、２種類の回路遮断器を製造するため、製造コストがかかり、しかも受刃の位置を移動させるときには、移動させる手間があった。
【０００３】
本発明は、かかる事由に鑑みて成されたものであり、その目的とするところは、単相三線式配線路の負荷バランスを容易に合わせることができる単相三線式分電盤を提供することにある。
【０００４】
【課題を解決するための手段】
請求項１の発明では、Ｌ１，Ｌ２の２つの電圧極及び１つの中性極からなる少なくとも３つの導電バーを複数の回路遮断器の並設方向に延出させるとともに、前記３つの導電バーのうちの少なくとも回路遮断器に接続される回路遮断器接続部を上下方向三段として配設し、前記複数の回路遮断器を導電バーの配置位置の両側に配設した単相三線式分電盤において、全ての回路遮断器は、前記上下方向三段の回路遮断器接続部のうちの中性極に差込接続される中性極用端子部を第１の高さ位置に設けるとともに、２つの電圧極の回路遮断器接続部のうちの一つに差込接続される電圧極用端子部を第２の高さ位置又は第３の高さ位置の何れか一方の高さ位置に設け、電圧極用端子部に接続されない電圧極の回路遮断器接続部を収納する収納部を第２の高さ位置又は第３の高さ位置の他方の高さ位置に設け、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設したことを特徴とする。
【０００５】
請求項２の発明では、請求項１の発明において、前記Ｌ１，Ｌ２の電圧極の回路遮断器接続部を、それぞれの電圧極の導電バーに一体形成され、一方側又は他方側に各々折曲された複数の脚片により構成したことを特徴とする。
【０００６】
請求項３の発明では、請求項２の発明において、前記脚片の隣合う２つを互いに反対側に折曲したことを特徴とする。
【０００７】
請求項４の発明では、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続部を、回路遮断器の並設方向に延出して第１及び第２の延出片に平行に配設される２本の導電バーにより構成したことを特徴とする。
【０００８】
請求項５の発明では、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続部を、回路遮断器の並設方向に延出し、第１及び第２の延出片に平行に配設される１本の導電バーにより構成したことを特徴とする。
【０００９】
請求項６の発明では、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の導電バーと、導電バーの配置位置を挟んで配設される他方の回路遮断器側で回路遮断器の並設方向に延出する第２の導電バーとにより各々個別に形成し、前記中性極の回路遮断器接続部を、回路遮断器の並設方向に延出して第１及び第２の導電バーに平行に配設される２本の導電バーに個別に形成したことを特徴とする。
【００１０】
請求項７の発明では、請求項１乃至請求項６の何れかの発明において、前記Ｌ１，Ｌ２の２つの電圧極及び１つの中性極からなる複数の導電バーの回路遮断器接続部のうちの中性極の導電バーの回路遮断器接続部を最上段として配設したことを特徴とする。
【００１３】
【発明の実施の形態】
以下本発明を実施形態により説明する。
（実施形態１）
図２、図３は本発明の実施形態の分電盤１の例を示し、図１に分電盤１に取り付ける回路遮断器２とこれら回路遮断器２に接続する中性極Ｎ及びＬ１，Ｌ２の２つの電圧極の少なくとも３つの導電バー３１及び３２，３３との関係を示している。
【００１４】
本例の分電盤１は、箱状のボディ１０とこのボディ１０の開口部に開閉自在に取り付けられるカバー１１とで構成され、図３に示すようにボディ１０の底部には主幹回路遮断器３及び複数の分岐回路遮断器である回路遮断器２を配設し、これら回路遮断器３、２の操作ハンドルＨはカバー１１の窓孔より外部に露出される。
【００１５】
回路遮断器２は図３において、ボディ１０内の片側において、上下２列に配設され、各列には６台が並設される。これらの上下２列間には上記の３つの導電バー３１〜３３が回路遮断器２の並設方向に延長するように配置される。
【００１６】
図４は回路遮断器２，３をボディ１０の底部に取り付けるための取付部を示しており、この取付部は、両側縁が図４（及び図５）において上方向に折り曲げられた２枚の鉄板からなり、ボディ１０の底部に図３において上下に間隔をあけて横方向に並行配設される基台４，４と、これら基台４，４間に橋絡するように配設される鉄板製の取付ベース５と、基台４，４間の間隙に対応するように凹ませた取付ベース５の中央凹部５Ｂ内に配設される樹脂製の導電バー用取付ベース６と、この取付ベース６の上と基台４上に被るように夫々配置された取付ベース５の側片５Ａとに渡るように配設される回路遮断器固定用の樹脂製の固定ベース７と、基台４，４の一端部に側端部が固定されて側方に配置される鉄板製の主幹回路遮断器用固定ベース８とから成る。
【００１７】
更に詳細に説明すると、基台４は図３に示すように一端に設けた長孔９を挿通した固定ねじ１２によりボディ１０の底部に固定される。
【００１８】
取付ベース５は図５に示すように中央部をボディ１０方向に凹ませ、この中央凹部５Ｂの両側より側方に延長した各側片５Ａを基台４の両側の折り曲げ片４Ａの端面上に載せ、各側片５Ａに設けた挿通孔１４を介して固定ねじ１５を基台４側のねじ孔１６に締結することで両側の基台４，４間に橋絡するように固定され、中央凹部５Ｂは基台４，４間に嵌まることになる。
【００１９】
取付ベース６は上記中央凹部５Ｂ内に配置されるもので、底部には中央凹部５Ｂに穿設した丸孔１７群に嵌まる円筒部１８群を突出させてあって、円筒部１８１８を丸孔１７に嵌めることで位置決めされる。そして中央凹部５Ｂの両端開口より突出する部位の上側の中央には夫々中性極Ｎの導電バー３１を支持するための支持ポスト１３を一体突設してある。
【００２０】
導電バー３１は両端部に形成した取付片３１ａに穿設した挿通孔３１ｂを介して固定ねじ３７を支持ポスト１３の上端部の凹部３４に収納固定されるナット３８に締結することで両端の支持ポスト１３，１３間に橋絡配置される。
【００２１】
また両端の支持ポスト１３，１３間を結ぶ中央部の両側の平面部がＬ１，Ｌ２の電圧極の導電バー３２．３３を配置する配置部位となり、これらの配置部位の側方の上面には固定ベース７を支持するピン１９を所定間隔で両端方向に一体立設してある。
【００２２】
また両端の支持ポスト１３，１３間には導電バー３２，３３から一体に延長形成された脚片２０，２１からなる後述する回路遮断器接続部の内高い位置にある脚片２１の支持用リブ２２と、脚片２０，２１の基部２８を沿わせるリブ２３とを突設してある。
【００２３】
導電バー３２，３３は固定ベース７，７が配設される前に、取付ベース６上の夫々の配置部位に配置固定される。
【００２４】
導電バー３２，３３は同一形状に形成されており、対称配置されるようになっているもので、両端には固定ねじ２４を挿通する挿通孔２５が設けられ、固定ねじ２４を挿通孔２５を介して、取付ベース６の凹部２６内に配置されるナット２７に締結することで固持されるようになっている。
【００２５】
導電バー３２，３３は配置されたときに内側となる側縁より回路遮断器２の配列個数に対応するように一定間隔で基部２８を折り曲げにより立ち上がらせ、この基部２８の上端の片側からはさらに外側方向に向けて脚片２０を水平延長形成し、またこの脚片２０に隣接する当該基部２８の上端には水平片が内側方向に向くように逆Ｌ状に折り曲げた延長片を形成してある。そして上記脚片２０とこの延長片の水平片たる脚片２１が夫々回路遮断器２の一端側に設けた後述する電圧極用端子接続部に差し込み接続される回路遮断器接続部を構成する。ここで脚片２０，２１の内の同一方向に折曲された隣合うもの同士の間隔を回路遮断器２の略同一としてある。
【００２６】
固定ベース７は導電バー３２，３３を取付ベース６に配設した後に取付ベース６と取付ベース５の側片５Ａ上に渡るよう配設される。この際固定ベース７の裏面より４カ所突出係止している係止爪２９を側片５Ａに形成している係止孔３０に挿入係止して固定ベース７は固定される。
【００２７】
この固定ベース７の上面には図１１に示すように回路遮断器２の器体の両側面を挟み込むようにして位置決めをする位置決め突起３５と、上記端子接続部を設けた一端部とは反対側の器体の他端部の両側面の下部に側方と下端とが開口した逆Ｌ状の凹所３６に該凹所３６の下面開口より挿入され、回路遮断器２の移動により水平片により構成される引掛部３９を凹所３６の横凹部により形成される被引掛部５３に挿入して引掛部３９の下面に形成した凹み嵌合部３９ａに被引掛部５３の底部に形成した凸嵌合部５３ａを嵌合して引掛係止する逆Ｌ状の突起５４とを配列する回路遮断器２数に対応して一体に突設してある。
【００２８】
固定ベース８は基台４，４の一端部に一側部より突出させた固定片４０を固定ねじ６１で基台４，４の端部に固定し、他側部より突出させた固定片４０’を固定ねじ６１’でボディ１０底部に固定することでボディ１０内に配設され、その上面には主幹回路遮断器３を螺子固定する。
【００２９】
主幹回路遮断器３の負荷側端子はＬ１、Ｌ２の電圧極及び中性極Ｎの導電バー４４、４５及び４６を介して各導電バー３２，３３及び３１に接続される。この接続は主幹回路遮断器３側の各導電バー３２，３３、３１の端部に各導電バー４４、４５，４６の端部を重ねて固定ねじ２４，２４，３７により固定されることで行われる。
【００３０】
また支持ポスト１３，１３間に橋絡配設された導電バー３１の上面には、両側に配置される回路遮断器２の上面に臨む弾性突出片４７を有した係止部材４８（図６，図７参照）を取着してある。
【００３１】
この係止部材４８は合成樹脂成形品からなり、両側の夫々３台の回路遮断器２に対応するもので、導電バー３１の上面側に２組配置されるようになっており、各係止部材４８は図６に示すように下面両側に導電バー３１の上面に載置する支持台４９を一体に係止するとともに、支持台４９間には導電バー３１に穿設してある丸孔５６に圧入される円柱状突起５０を下面に２つ所定間隔で一体突設し、各支持台４９と隣接する突起５０間，そして両突起５０，５０間には夫々揺動自在に一端が連結片により夫々支持された３つの弾性突出片４７を両側に一体形成しある。そして、導電バー３３に取り付けられた時に、夫々の弾性突出片４７の先端部が正規位置に配置される回路遮断器２の内側位置の上面に臨むように突出するようなっている。また弾性突出片４７の先端部両側には回路遮断器２の内側位置の上面に並設した２つの突起状の被係止部５７に係止する係止部５８を突出形成してある。
【００３２】
回路遮断器２は以上のように構成される取付部がボディ１０の底部上に配設された状態において固定ベース７上に固定配設されるのである。
【００３３】
ここで本実施形態に用いられる回路遮断器２は内部に２極の開閉機構部を内蔵するもので、図１に示すように器体の一端部側に上、中、下の三段に導電バーの回路遮断器接続部が挿入される導電バー差し込み口４１，４２，４３を開口しており、上段の導電バー差し込み口４１の高さ位置は固定ベース７に配設したときに丁度最上段の導電バー３１の高さ位置に対応し、また中段の導電バー差し込み口４２は導電バー３２或いは３３の脚片２１の高さ位置に対応し、更に下段の導電バー差し込み口４３は、導電バー３２或いは３３の脚片２０の高さ位置に対応している。
【００３４】
そして本例では上段の導電バー差し込み口４１内には図８に示すように中性極Ｎの導電バー３３側縁からなる回路遮断器接続部を差し込み接続する端子接続部たる受刃５１を配置し、中段及び下段の何れかの導電バー差し込み口４２、４３の一方にＬ１或いはＬ２の電圧極の導電バー３２，３３の回路遮断器接続部２１或いは２０を差し込む受け刃５２を配設し、他方を受け刃を配設せず、回路遮断器接続部の収納部としている。
【００３５】
電圧極に対応する受け刃５２は導電バー差し込み口４２或いは４３の何れかの位置へ器体側面に図８に示すように露出したスライドレバー６０を上又は下へ移動させることで移動させることできるようになっており、上下二列に配列される回路遮断器２群において、負荷バランスをとるように接続するＬ１及びＬ２の電圧極を容易に選択できるようになっている。
【００３６】
而して回路遮断器２を固定ベース７に配設固定するに当たっては、回路遮断器２を配設したい位置の固定ベース７上の一対の突起３５，３５間に導電バー差し込み口側の一端部の器体下部を嵌めるとともに、他端部側の器体両側側面の凹所３６の下部開口より突起５４を凹所３６内に嵌めて固定ベース７上に図８に示すように載置する。この時係止部材４８の対応する弾性突出片４７の先端部が回路遮断器２の上面に臨む。
【００３７】
この状態で回路遮断器２を導電バー配置位置方向に図９に示すように直線移動させると、導電バー差し込み口４１に中性極Ｎの導電バー３１の側縁たる回路遮断器接続部が挿入されて受け刃５１の開口に臨み、また中段の導電バー差し込み口４２にはＬ１或いはＬ２の電圧極の導電バー３１或いは３２の脚片２１が挿入され、さらに下段の導電バー差し込み口４３にはＬ２或いはＬ１の電圧極の導電バー３２或いは３１の脚片２０が挿入されることになり、図において導電バー差し込み口４３内に配置されている受け刃５２に脚片２０が臨むことになる。
【００３８】
一方回路遮断器２の直線移動に伴って係止部材４８の対応する弾性突出片４７の係止部５８下面の傾斜面５８ａが回路遮断器２の上面に形成した被係止部５７の傾斜面５７ａに図示するように当接する。
【００３９】
この状態からさらに回路遮断器２を移動させると弾性突出片４７の弾性変形を伴いながら係止部５８の傾斜面５８ａが被係止部５７の傾斜面５７ａ上をスライドしながら乗り上げて、やがて被係止部５７を乗り越え、弾性突出片４７が弾性で元に戻る。従って回路遮断器２の被係止部５７が係止部５８に係止されることになる。これにより回路遮断器２が外側方向（受け刃から導電バーが引き抜かれる方向）へ移動するのを規制する。一方凹所３６に下方から嵌まった突起５４に設けられた引掛部３９は回路遮断器２の移動に伴って被引掛部５３内に挿入され、やがて引掛部３９の下面に設けた嵌合凹部３９ａが被引掛部５３の下面に設けた嵌合凸部５３ａに図１０に示すように凹凸嵌合することになる。
【００４０】
この凹凸嵌合時に所謂クリック感が作業者に与えられ、回路遮断器２が定位置、つまり受け刃５１，５２に導電バー３１、３２或いは３３の回路遮断器接続部が完全に差し込まれた位置に移動したことを作業者に分からしめ、結果受け刃５１，５２に対する回路遮断器接続部の差し込み量のばらつきを抑えることができるのである。
【００４１】
そして被引掛部５３と引掛部３９との凹凸嵌合により、回路遮断器２の上方向、つまり固定ベース７の面に対して垂直方向への移動を規制する。また引掛部３９及び突起５４は凹所３６及び被引掛部５３内に納まるため、隣接配置する回路遮断器２との間の隙間を少なくすることができる。
【００４２】
以上のようにして簡単に回路遮断器２を分電盤内の固定ベース上に取り付け且つ電気的に接続することができる。
【００４３】
図１０或いは図１１に示すように固定ベース７上に配設した回路遮断器２を取り外す場合には、上記の係止部材４８の弾性突出片４７の後端に連設された操作片６２を図１２に示すようにドライバ６３で下方に押し、弾性突出片４７を連結片を中心として回動させてその先端部を上方へ移動させ、先端部の係止部５８を回路遮断器２の被係止部５７から離脱させる。これにより回路遮断器２を引外し方向へ移動させることが可能となり、この状態で回路遮断器２を引外し方向へ直線移動させれば、被引掛部５３と引掛部３９の凹凸嵌合が外れ、凹所３６の下面開口位置上方へ係止部３９が移動するまで回路遮断器２を移動させ、その後上方へ持ち上がれば回路遮断器２を取り外すことができることになる。
【００４４】
（実施形態２）
上記実施形態１では導電バー３２，３３の脚片２０，２１は各回路遮断器２の配置位置に対応して細幅の脚片２０，２１を各導電バー３２、３３の側縁より一体延長して、各脚片２０，２１により構成しているが、本実施形態では、前記Ｌ１，Ｌ２の電圧極に対応する導電バー３２，３３を図１３、図１４に示すように導電バーの配置位置を挟んで配設される一方（例えば図では左側）の回路遮断器２側で回路遮断器２の並設方向に延出する第１の延出片３２Ａ，３３Ａと、導電バーの配置位置を挟んで配設される他方（例えば図では右側）の回路遮断器２側で回路遮断器２の並設方向に延出する第２の延出片３２Ｂ，３３Ｂと、これら第１及び第２の延出片３２Ａ，３３Ａ，３２Ｂ，３３Ｂ間を連結する連結片３２Ｃ，３３Ｃとにより構成し、例えば図において左側の導電バー３２の延出片３２Ａを回路遮断器２の中段の導電バー差し込み口４２の高さ位置とし、右側の導電バー３２の延出片３２Ｂの高さ位置を回路遮断器２の下段の導電バー差し込み口４３の高さ位置とし、また左側の導電バー３３の延出片３３Ａを回路遮断器２の下段の導電バー差し込み口４３の高さ位置とし、右側の導電バー３３の延出片３３Ｂの高さ位置を回路遮断器２の中段の導電バー差し込み口４２の高さ位置とし、各導電バー３２，３３の前記第１及び第２の延出片３２Ａ，３３Ａ及び３２Ｂ，３３Ｂの外向き側縁を回路遮断器接続部としてある。
【００４５】
また実施形態１の場合には前記中性極Ｎの導電バー３１はその幅寸法を両側に配置される回路遮断器２，２の上段の導電バー差し込み口３１，３１内の受け刃５１に差し込みできる幅とし、両側縁を回路遮断器接続部としていたが、本実施形態では、両側の回路遮断器２の並設方向に延出して導電バー３２，３３の前記第１及び第２の延出片３２Ａ，３３Ａ，３２Ｂ，３３Ｂに平行に配設される２本の導電バー３１Ａ，３１Ｂの個々の側縁により中性極Ｎの回路遮断器接続部を構成している。
【００４６】
本実施形態によればＬ１，Ｌ２の電圧極の回路遮断器接続部が各々１本の導電バー３２，３３を構成する一体形成した第１及び第２延出片３２Ａ，３３Ａ及び３２Ｂ，３３Ｂにより構成されているので、Ｌ１，Ｌ．２の電圧極の極性を容易に判別でき、極性間違いを防止し易い。
【００４７】
（実施形態３）
上記実施形態２では中性極Ｎの導電バーを２本の導電バー３１Ａ，３１Ｂで構成していたが、本実施形態では、図１５、図１６に示すように実施形態１と同様に幅広な１本の導電バー３１を用いたものである。
【００４８】
而して、本実施形態では、実施形態２の特徴に加え、導電バーの数を少なくすることができ、導電バーの配穀作業が容易となる。
【００４９】
（実施形態４）
上記実施形態１〜３ではＬ１，Ｌ２の電圧極の回路遮断器接続部を持つ導電バーを夫々１本としていたが、本実施形態では、例えば図１７、図１８に示すように導電バーの配置位置を挟んで配設される一方（図では例えば左側）の回路遮断器２側で回路遮断器２の中段、下段の夫々の導電バー差し込み口４２，４３の高さ位置に対応するようにＬ１の電圧極の第１の導電バー３２Ａ、Ｌ２の電圧極の第１の導電バー３３Ａを上下に並行配置し、また導電バー群を挟んで配設される他方（図では例えば右側）の回路遮断器２側で回路遮断器２の中段、下段の夫々の導電バー差し込み口４２，４３の高さ位置に対応するようにＬ２の電圧極の第２の導電バー３３Ｂ、Ｌ２の電圧極の第２の導電バー３２Ｂを上下に並行配置し、それぞれの側縁を回路遮断器接続部としている。
【００５０】
中性極Ｎの回路遮断器接続を、回路遮断器の並設方向に延出して中段の高さ位置にある第１及び第２の導電バー３２Ａ及び３３Ｂの上方に夫々平行に配設される２本の導電バー３１Ａ，３１Ｂの側縁で夫々構成してある。
【００５１】
本実施形態では、単にＬ１，Ｌ２の電圧極の導電バー３２Ａ，３２Ｂ，３３Ａ，３３Ｂの配置を両側において逆にすれば良く、導電バーの形状が従来と同様な平板の導電バーであり、導電バーの製造作業が容易となる。
【００５２】
（参考例）
本参考例では、図１９、図２０に示すように導電バーの配置位置を挟んで左右に配置される回路遮断器２では下段の導電バー差し込み口４３内に受け刃５２を夫々配置するとともに、この高さ位置に対応するように前記Ｌ１，Ｌ２の電圧極の２本の導電バー３２，３３を幅方向に並設して、一方（図１９、図２０では左側）の回路遮断器２ではＬ１の導電バー３２を受け刃５２に差し込み接続し、他方（図１９，図２０では右側）の回路遮断器２ではＬ２の導電バー３３を受け刃５２に差し込み接続するようにしてある。中性極Ｎの導電バー３１は両側の回路遮断器２の上段の導電バー差し込み口４１に両側の側縁が差し込み接続できるようにその幅寸法を広幅とし、導電バー差し込み口４１の高さ位置に対応するように配置してある。
【００５３】
本参考例では、導電バー３２，３３の両側から回路遮断器２を夫々差込接続すると、Ｌ１，Ｌ２の電圧極にバランス良く接続できる。また、Ｌ１，Ｌ２の電圧極の２本の導電バー３２．３３は同一高さ位置にあるので、分電盤自体の高さ方向をコンパクトにすることができる。
【００５４】
【発明の効果】
請求項１の発明は、Ｌ１，Ｌ２の２つの電圧極及び１つの中性極からなる少なくとも３つの導電バーを複数の回路遮断器の並設方向に延出させるとともに、前記３つの導電バーのうちの少なくとも回路遮断器に接続される回路遮断器接続部を上下方向三段として配設し、前記複数の回路遮断器を導電バーの配置位置の両側に配設した単相三線式分電盤において、全ての回路遮断器は、前記上下方向三段の回路遮断器接続部のうちの中性極に差込接続される中性極用端子部を第１の高さ位置に設けるとともに、２つの電圧極の回路遮断器接続部のうちの一つに差込接続される電圧極用端子部を第２の高さ位置又は第３の高さ位置の何れか一方の高さ位置に設け、電圧極用端子部に接続されない電圧極の回路遮断器接続部を収納する収納部を第２の高さ位置又は第３の高さ位置の他方の高さ位置に設け、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設したので、導電バーの配置位置の両側から回路遮断器の端子部に回路遮断接続部を差込接続すると、Ｌ１，Ｌ２の電圧極にバランス良く接続でき、またこのＬ１，Ｌ２の電圧極の選択を導電バーの回路遮断器接続部の高さ位置を可変することにより、Ｌ１，Ｌ２各々用の回路遮断器を作製する手間がなく、また、電圧極の回路遮断器接続部に差込接続される電圧極用端子部をわざわざ移動させてＬ１，Ｌ２の選択をする必要がなく、負荷バランスを合わせる作業が容易にできるという効果がある。
【００５５】
請求項２の発明は、請求項１の発明において、前記Ｌ１，Ｌ２の電圧極の回路遮断器接続部を、それぞれの電圧極の導電バーに一体形成され、一方側又は他方側に各々折曲された複数の脚片としたので、導電バーの材料取りが良くなる。
【００５６】
請求項３の発明は、請求項２の発明において、前記脚片の隣合う２つを互いに反対側に折曲したので、電圧極の導電バーの長さを配設される回路遮断器の数に合わせて容易に変更することができる。
【００５７】
請求項４の発明は、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続部を、回路遮断器の並設方向に延出して第１及び第２の延出片に平行に配設される２本の導電バーとしたので、Ｌ１，Ｌ２の電圧極の極性を容易に判別でき、極性間違いを防止し易い。
【００５８】
請求項５の発明は、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の延出片と、導電バーの配置位置を挟んで配設される他方の回路遮断器側で回路遮断器の並設方向に延出する第２の延出片と、これら第１及び第２の延出片間を連結する連結片とにより一体形成された各々１本の導電バーの前記第１及び第２の延出片により構成し、前記中性極の回路遮断器接続部を、回路遮断器の並設方向に延出し、第１及び第２の延出片に平行に配設される１本の導電バーとしたので、請求項４の効果に加えて導電バーの数を少なくすることができ、導電バーの配置作業が容易となる。
【００５９】
請求項６の発明は、Ｌ１，Ｌ２の２つの電圧極及び１つの中性極からなる少なくとも３つの導電バーを回路遮断器の並設方向に延出させるとともに、前記３つの導電バーのうちの少なくとも回路遮断器に接続される回路遮断器接続部を上下方向三段として配設し、これらの上下方向三段の回路遮断器接続部のうちの中性極に差込接続される中性極用端子部を第１の高さ位置に設けるとともに２つの電圧極の回路遮断器接続部のうちの一つに差込接続される電圧極用端子部を第２の高さ位置に設けた複数の回路遮断器を導電バーの配置位置の両側に配設した単相三線式分電盤において、前記導電バーの長手方向における両側方向の内の、一方側ではＬ１の電圧極の回路遮断器接続部を第２の高さ位置に配設するとともにＬ２の電圧極の回路遮断器接続部を第３の高さ位置に配設し、他方側ではＬ２の電圧極の回路遮断器接続部を第２の高さ位置に配設するとともにＬ１の電圧極の回路遮断器接続部を第３の高さ位置に配設し、前記Ｌ１，Ｌ２の電圧極の回路遮断器接続部を、導電バーの配置位置を挟んで配設される一方の回路遮断器側で回路遮断器の並設方向に延出する第１の導電バーと、導電バーの配置位置を挟んで配設される他方の回路遮断器側で回路遮断器の並設方向に延出する第２の導電バーとにより各々個別に形成し、前記中性極の回路遮断器接続部を、回路遮断器の並設方向に延出して第１及び第２の導電バーに平行に配設される２本の導電バーに個別に形成したので単にＬ１，Ｌ２の電圧極の導電バーの配置を逆にすれば良く、導電バーの形状が従来と同一であり、導電バーの製造作業が容易となる。
【００６２】
請求項７の発明は、請求項１乃至請求項６の何れかの発明において、前記Ｌ１，Ｌ２の２つの電圧極及び１つの中性極からなる複数の導電バーの回路遮断器接続部のうちの中性極の導電バーの回路遮断器接続部を最上段として配設したので、一番触れる恐れがある最上段の回路遮断器接続部が中性極で、感電が防止し易くなる。
【図面の簡単な説明】
【図１】本発明の実施形態１の要部の分解斜視図である。
【図２】同上の正面図である。
【図３】同上のカバーを外した状態の正面図である。
【図４】同上の取付部の分解斜視図である。
【図５】同上の取付部の要部の分解斜視図である。
【図６】同上の弾性係止部と導電バーとの関係を示す分解斜視図である。
【図７】同上の弾性係止部と回路遮断器との関係を示す分解斜視図である。
【図８】同上の回路遮断器の配設説明用の一部省略且つ破断せる側面図である。
【図９】同上の回路遮断器の配設説明用の一部省略且つ破断せる側面図である。
【図１０】同上の回路遮断器の配設説明用の一部省略且つ破断せる側面図である。
【図１１】同上の固定ベースと回路遮断器との配設関係を示す斜視図である。
【図１２】同上の回路遮断器の取り外し説明用の一部省略且つ破断せる側面図である。
【図１３】本発明の実施形態２の要部を示す分解斜視図である。
【図１４】同上の回路遮断器と導電バーの関係説明図である。
【図１５】本発明の実施形態３の要部を示す分解斜視図である。
【図１６】同上の回路遮断器と導電バーの関係説明図である。
【図１７】本発明の実施形態４の要部を示す分解斜視図である。
【図１８】同上の回路遮断器と導電バーの関係説明図である。
【図１９】参考例の要部を示す分解斜視図である。
【図２０】同上の回路遮断器と導電バーの関係説明図である。
【符号の説明】
２  回路遮断器
２０，２１  回路遮断接続部
３１〜３３  導電バー
４１〜４３  導電バー差し込み口
５１，５２  受け刃
【図１】
0004366773.tif 000002
【図２】
0004366773.tif 000003
【図３】
0004366773.tif 000004
【図４】
0004366773.tif 000005
【図５】
0004366773.tif 000006
【図６】
0004366773.tif 000007
【図７】
0004366773.tif 000008
【図８】
0004366773.tif 000009
【図９】
0004366773.tif 000010
【図１０】
0004366773.tif 000011
【図１１】
0004366773.tif 000012
【図１２】
0004366773.tif 000013
【図１３】
0004366773.tif 000014
【図１４】
0004366773.tif 000015
【図１５】
0004366773.tif 000016
【図１６】
0004366773.tif 000017
【図１７】
0004366773.tif 000018
【図１８】
0004366773.tif 000019
【図１９】
0004366773.tif 000020
【図２０】
0004366773.tif 000021